(57)【要約】【課題】事業者による施設から排出される二酸化炭素の削減を促進する。【解決手段】販売対象植物２ａを栽培する栽培ハウス２に施設１で発生した二酸化炭素を供給し、その二酸化炭素を栽培ハウス２内の販売対象植物２ａに吸収させることで施設１から排出される二酸化炭素を削減し且つ販売対象植物２ａの育成速度を増加させる。【選択図】図１
2011135817.tif 000002
【特許請求の範囲】
【請求項１】
販売対象植物を栽培する栽培ハウスに施設で発生した二酸化炭素を供給し、その二酸化炭素を栽培ハウス内の販売対象植物に吸収させることで施設から排出される二酸化炭素を削減し且つ販売対象植物の育成速度を増加させる二酸化炭素削減方法。
【請求項２】
請求項１記載の二酸化炭素削減方法の適用効果をシミュレートするシミュレートシステムであって、
前記栽培ハウスを備えた植物利用型処理設備に関する情報の入力を受け付ける入力手段と、
前記入力手段で受け付けた情報に基づいて、
前記植物利用型処理設備の稼働による二酸化炭素処理量を金銭に換算した二酸化炭素削減額と栽培ハウス内で育成した販売対象植物の販売額とを合算した仮想収益と、前記植物利用型処理設備の導入・稼働・メンテナンス、及び、販売対象植物の育成・収穫・販売に要する費用との差を評価値として演算するシミュレート手段と、
前記シミュレート手段による演算結果を出力する出力手段が備えられているシミュレートシステム。
【請求項３】
前記入力手段が、植物を用いずに二酸化炭素を処理する植物非利用型処理設備に関する情報の入力も受け付けるように構成され、
前記シミュレート手段が、前記入力手段で受け付けた情報に基づいて、前記植物非利用型処理設備の稼働による二酸化炭素処理量を金銭に換算した二酸化炭素削減額からなる第２仮想収益と、前記植物非利用型処理設備の導入・稼働・メンテナンスに要する費用との差を第２評価値として演算するように構成されている請求項２記載のシミュレートシステム。
【請求項４】
請求項１記載の二酸化炭素削減方法の適用効果をシミュレートするシミュレートシステムであって、
前記施設に関する情報と前記栽培ハウスを備えた植物利用型処理設備に関する情報の入力を受け付ける入力手段と、
前記入力手段で受け付けた情報に基づいて、
前記施設で発生する二酸化炭素発生量から前記植物利用型処理設備の稼働による二酸化炭素処理量を差し引いた設備導入後の施設からの二酸化炭素排出量を金銭に換算した二酸化炭素排出額と、前記植物利用型処理設備の導入・稼働・メンテナンス、及び、販売対象植物の育成・収穫・販売に要する費用とを合算した仮想費用と、栽培ハウス内で育成した販売対象植物の販売額との差を評価値として演算し、更に、前記施設で発生する二酸化炭素発生量を金銭に換算した二酸化炭素排出額を現在評価値として演算するシミュレート手段と、
前記シミュレート手段による演算結果を出力する出力手段が備えられているシミュレートシステム。
【請求項５】
前記シミュレート手段は、前記評価値として、販売対象植物としての薔薇をプリザーブドフラワーとして販売したときの評価値と、販売対象植物としての薔薇を生花として販売したときの評価値を算出可能に構成されている請求項２〜４のいずれか１項に記載のシミュレートシステム。
【発明の詳細な説明】
【技術分野】
【０００１】
本発明は、二酸化炭素削減方法及びシミュレートシステムに関し、特に、工場やホールや映画館等の施設から排出される二酸化炭素を削減するのに用いられる二酸化炭素削減方法、及び、その二酸化炭素削減方法の適用効果をシミュレートするシミュレートシステムに関する。
【背景技術】
【０００２】
現在、地球温暖化対策等で二酸化炭素の削減が国際的な大きな流れとなっており、施設を所有する事業者等が施設から排出される二酸化炭素を削減することが求められてきている。
そして、従来、施設から排出される二酸化炭素削減方法として、二酸化炭素を化学的に処理する二酸化炭素処理設備を施設に配備するものが知られている。
【発明の概要】
【発明が解決しようとする課題】
【０００３】
ところが、上記従来の二酸化炭素の削減方法では、二酸化炭素処理設備の導入等に係る損失のみで新たな収益を生まないことから、事業者が二酸化炭素の削減に取り組むための支障となって、施設から排出される二酸化炭素の削減がうまく進まない問題があった。
【０００４】
本発明は、上述の実情に鑑みて為されたものであって、その主たる課題は、二酸化炭素の削減に伴い新たな収益を生むことによって、事業者による施設から排出される二酸化炭素の削減を促進することのできる二酸化炭素削減方法及びシミュレートシステムを提供する点にある。
【課題を解決するための手段】
【０００５】
本発明の第１特徴構成は、二酸化炭素削減方法に係り、その特徴は、
販売対象植物を栽培する栽培ハウスに施設で発生した二酸化炭素を供給し、その二酸化炭素を栽培ハウス内の販売対象植物に吸収させることで施設から排出される二酸化炭素を削減し且つ販売対象植物の育成速度を増加させる点にある。
【０００６】
上記構成によれば、栽培ハウスや二酸化炭素の供給に係る費用が損失として発生するものの、二酸化炭素の削減と併せて、しかも、削減すべき二酸化炭素を利用して、販売対象物２ａの販売による新たな収益を効率的に発生させることができ、これにより、事業者が施設から排出される二酸化炭素の削減に取り組み易くすることができて、地球規模での二酸化炭素の削減を大きく促進することができる。
【０００７】
本発明の第２特徴構成は、第１特徴構成に記載の二酸化炭素削減方法の適用効果をシミュレートするシミュレートシステムであって、
前記栽培ハウスを備えた植物利用型処理設備に関する情報の入力を受け付ける入力手段と、
前記入力手段で受け付けた情報に基づいて、
前記植物利用型処理設備の稼働による二酸化炭素処理量を金銭に換算した二酸化炭素削減額と栽培ハウス内で育成した販売対象植物の販売額とを合算した仮想収益と、前記植物利用型処理設備の導入・稼働・メンテナンス、及び、販売対象植物の育成・収穫・販売に要する費用との差を評価値として演算するシミュレート手段と、
前記シミュレート手段による演算結果を出力する出力手段が備えられている点にある。
【０００８】
上記構成によれば、植物利用型処理設備に関する情報の入力を入力手段で受け付けると、植物利用型処理設備の稼働による二酸化炭素処理量を金銭に換算した二酸化炭素削減額と栽培ハウス内で育成した販売対象植物の販売額とを合算した仮想収益と、植物利用型処理設備の導入・稼働・メンテナンス、及び、販売対象植物の育成・収穫・販売に要する費用との差を評価値としてシミュレート手段で演算し、その演算結果を出力手段で出力する。
【０００９】
つまり、植物利用型処理設備の導入に伴う二酸化炭素取引（所謂、排出権取引）に係る費用の削減分と販売対象植物の販売額とを仮想収益とし、植物利用型処理設備の導入・稼働・メンテナンス、及び、販売対象植物の育成・収穫・販売に要する費用を損失とした現状からの差益を評価値として演算することで、事業者に対して植物利用型処理設備を用いた二酸化炭素削減方法の適用効果を現状からの差益として分り易く示すことができ、これにより、事業者が施設から排出される二酸化炭素の削減に取り組むのを後押しすることができる。
なお、前記出力手段が出力する演算結果は、前記評価値に限らずそれを更に演算処理したもの等であってもよい。
【００１０】
本発明の第３特徴構成は、前記入力手段が、植物を用いずに二酸化炭素を処理する植物非利用型処理設備に関する情報の入力も受け付けるように構成され、
前記シミュレート手段が、前記入力手段で受け付けた情報に基づいて、前記植物非利用型処理設備の稼働による二酸化炭素処理量を金銭に換算した二酸化炭素削減額からなる第２仮想収益と、前記植物非利用型処理設備の導入・稼働・メンテナンスに要する費用との差を第２評価値として演算するように構成されている点にある。
【００１１】
上記構成によれば、植物非利用型処理設備に関する情報の入力を入力手段で受け付けると、植物非利用型処理設備の稼働による二酸化炭素処理量を金銭に換算した二酸化炭素削減額からなる第２仮想収益と、植物非利用型処理設備の導入・稼働・メンテナンス、及び、販売対象植物の育成・収穫・販売に要する費用との差を第２評価値としてシミュレート手段で演算し、その演算結果を出力手段で出力する。
【００１２】
つまり、植物非利用型処理設備の導入に伴う二酸化炭素取引に要する費用の削減分を仮想収益とし、植物非利用型処理設備の導入・稼働・メンテナンスに要する費用を損失とした現状からの差益を第２評価値として演算することで、事業者に対して植物非利用型処理設備を用いた二酸化炭素削減方法の適用効果も示すことができ、これにより、事業者は植物非利用型処理設備と対比させて植物利用型処理設備を用いた二酸化炭素方法の適用効果を一層分り易く把握することができる。
なお、前記出力手段が出力する演算結果は、前記評価値や第２評価値に限らず、それらを処理したもの（例えば、評価値と第２評価値の差）等であってもよい。
【００１３】
本発明の第４特徴構成は、第１特徴構成に記載の二酸化炭素削減方法の適用効果をシミュレートするシミュレートシステムであって、
前記施設に関する情報と前記栽培ハウスを備えた植物利用型処理設備に関する情報の入力を受け付ける入力手段と、
前記入力手段で受け付けた情報に基づいて、
前記施設で発生する二酸化炭素発生量から前記植物利用型処理設備の稼働による二酸化炭素処理量を差し引いた設備導入後の施設からの二酸化炭素排出量を金銭に換算した二酸化炭素排出額と、前記植物利用型処理設備の導入・稼働・メンテナンス、及び、販売対象植物の育成・収穫・販売に要する費用とを合算した仮想費用と、栽培ハウス内で育成した販売対象植物の販売額との差を評価値として演算し、更に、前記施設で発生する二酸化炭素発生量を金銭に換算した二酸化炭素排出額を現在評価値として演算するシミュレート手段と、
前記シミュレート手段による演算結果を出力する出力手段が備えられている点にある。
【００１４】
上記構成によれば、植物利用型処理設備に関する情報と施設の関する情報の入力を入力手段で受け付けると、植物利用型処理設備の導入後の二酸化炭素排出額（つまり、前記施設で発生する二酸化炭素発生量から前記植物利用型処理設備の稼働による二酸化炭素処理量を差し引いた設備導入後の施設からの二酸化炭素排出量を金銭に換算した額）と植物利用型処理設備の導入・稼働・メンテナンス及び販売対象植物の育成・収穫・販売に要する費用とを合算した仮想費用と、販売対象植物の販売額との差をシミュレート手段で評価値として演算するとともに、植物利用型処理設備の導入前の二酸化炭素排出額（施設で発生する二酸化炭素発生量を金銭に換算した額）をシミュレート手段で現在評価値として演算し、その演算結果を出力手段で出力する。
【００１５】
つまり、植物利用型処理設備の導入後の二酸化炭素排出額と植物利用型処理設備の導入・稼働・メンテナンス、及び、販売対象植物の育成・収穫・販売に要する費用とを仮想の損失とし、販売対象物の販売額を収益とした評価値を演算し、併せて、植物利用型処理設備の導入前の二酸化炭素排出額を現状の損失とした現状評価値を演算することで、事業者に対して植物利用型処理設備を用いた二酸化炭素削減方法の適用効果を現状との差として分り易く示すことができ、これにより、事業者が施設から排出される二酸化炭素の削減に取り組むのを後押しすることができる。
【００１６】
本発明の第５特徴構成は、前記シミュレート手段は、前記評価値として、販売対象植物としての薔薇をプリザーブドフラワーとして販売したときの評価値と、販売対象植物としての薔薇を生花として販売したときの評価値を算出可能に構成されている点にある。
【００１７】
上記構成によれば、販売対象物としての評価の高い薔薇を、販売単価の高いプリザーブドフラワー（所謂、ブリザーブドフラワー）として販売した場合と、販売単価はプリザーブドフラワーを下回るも育成・収穫・販売に要する費用の少ない生花として販売した場合とを比較する形態で、施設から排出される二酸化炭素の削減に取り組み易い方法を探索することが可能になる。
【図面の簡単な説明】
【００１８】
【図１】二酸化炭素削減システムの全体構成図
【図２】シミュレートシステムの第１実施形態を示す構成図
【図３】シミュレートシステムの第２実施形態を示す構成図
【発明を実施するための形態】
【００１９】
［第１実施形態］
図１は、二酸化炭素削減システムの全体構成を示し、１は二酸化炭素を含む排ガスＧを発生する工場等の施設、２は当該施設１の敷地内に設けた栽培ハウス（所謂、ビニールハウス）である。
【００２０】
また、３は排ガスＧから二酸化炭素ガスｇ（二酸化炭素の一例）を回収する二酸化炭素回収装置、４は二酸化炭素回収装置３で回収した二酸化炭素ガスｇを栽培ハウス２内に供給する二酸化炭素供給路（二酸化炭素供給手段の一例）である。前記栽培ハウス２は、販売対象植物２ａ（本例では、薔薇）を水耕栽培方式で栽培するように構成されている。
【００２１】
つまり、この二酸化炭素削減システムは、二酸化炭素回収装置３で排ガスＧから二酸化炭素ガスｇを回収し、その回収二酸化炭素ガスｇを栽培ハウス２に二酸化炭素供給路４を通じて供給することで、栽培ハウス２内の空気の二酸化炭素濃度を上昇させ、これにより、栽培ハウス２内の薔薇２ａの光合成等による二酸化炭素の吸収量を増大させて、薔薇の生育速度の増加と排ガスＧ中に含まれる二酸化炭素の削減との両方を同時に達成し得るように構成されている。
【００２２】
なお、栽培ハウス２、二酸化炭素回収装置３、二酸化炭素供給路４は、植物利用型処理設備５を構成する。
【００２３】
図２は、二酸化炭素削減方法の適用効果をシミュレートするシミュレートシステムＳの構成図を示し、このシミュレートシステムＳは、シミュレートプログラムを内蔵したコンピュータ及びそれの周辺機器（例えば、マウス、キーボード、ディスプレイ、ハードディスク等）などから構成され、少なくとも入力手段６、シミュレート手段７、出力手段８が備えられている。
【００２４】
前記入力手段６は、例えば、キーボードやマウス等の操作によって、植物利用型処理設備５の情報Ｄ１の入力、並びに、植物を利用せずに化学反応等で二酸化炭素を処理する市販の植物非利用型処理設備の情報Ｄ２の入力を受け付け、シミュレート手段７の記憶部に記憶させる処理を実行するように構成されている。
【００２５】
前記植物利用型処理設備５の情報Ｄ１は、植物利用型処理設備５の稼働による二酸化炭素処理量（例えば１年当たり）ｄ１１、栽培ハウス２内で育成する販売対象物２ａの数量（例えば１年当たり）ｄ１２と販売仕様ｄ１３、植物利用型処理設備５の導入・稼働・メンテナンスに要する設備側費用（例えば１年当たり）ｄ１４などから構成されている。
【００２６】
また、前記植物非利用型処理設備の情報Ｄ２は、植物非利用型処理設備の稼働による二酸化炭素処理量（例えば１年当たり）ｄ２１、植物非利用型処理設備の導入・稼働・メンテナンスに要する設備側費用（例えば１年当たり）ｄ２４などから構成されている。
【００２７】
設備側費用ｄ１４、ｄ２４の各々は、施設１からの二酸化炭素の削減方法の提案や検討に係るコンサルティング料等を含む処理設備の導入・稼働・メンテナンスに要する一切の費用である。
【００２８】
前記シミュレート手段７の記憶部には、実行する演算過程で必要な各種の情報が記憶されており、本例では、販売対象植物２ａの種別毎及び販売仕様（例えば、プリザーブドフラワーや生花）毎の販売対象物２ａの販売単価ｄａや販売対象植物２ａの種別毎及び販売仕様毎の販売対象植物２ａの育成・収穫・販売に要する植物側費用ｄｂ（例えば１年当たり、前記の設備側費用は含まない）、二酸化炭素量を金銭に換算する取引単価（所謂、排出権取引に係る単価）ｄｃなどの情報が記憶されている。
【００２９】
販売対象植物２ａの育成・収穫・販売に要する植物側費用ｄｂは、販売対象物２ａの販売のための加工処理をも含む販売対象植物２ａの育成・収穫・販売に要する一切の費用である。
【００３０】
前記シミュレート手段７は、入力手段６で入力を受け付けた植物利用型処理設備情報Ｄ１、植物非利用型処理設備情報Ｄ２に基づいて、栽培ハウス２内で育成する販売対象物２ａの数量ｄ１２にその販売対象物２ａの種別や販売仕様に応じた販売単価ｄａを乗じて販売対象物２ａの販売額ｄ１５を演算し、前記二酸化炭素処理量ｄ１１に取引単価ｄｃを乗じて金銭に換算した二酸化炭素削減額ｄ１６を演算するとともに、当該二酸化炭素削減額ｄ１６と前記販売額ｄ１５とを合算した仮想収益ｄ１７を演算する処理を実行するように構成されている。
【００３１】
さらに、シミュレート手段７は、前記植物利用型処理設備５に関する設備側費用ｄ１３と販売対象物２ａの種別や販売仕様に応じた植物側費用ｄｂとを合算して合算費用ｄ１８を演算するとともに、第１評価値ｈ１として、仮想収益ｄ１７と合算費用ｄ１８との差を演算する処理を実行するように構成されている。
【００３２】
また、シミュレート手段７は、入力手段６で入力を受け付けた植物利用型処理設備情報Ｄ１、植物非利用型処理設備情報Ｄ２に基づいて、第２仮想収益ｄ２７として、植物非利用型処理設備に関する二酸化炭素処理量ｄ２１に取引単価ｄｃを乗じて金銭に換算した二酸化炭素削減額を演算するとともに、第２評価値ｈ２として、第２仮想収益ｄ２７と植物非利用型処理設備に関する設備側費用ｄ２４との差を演算する処理を実行するように構成されている。
【００３３】
そしてまた、第１評価値ｈ１と第２評価値ｈ２との差を差異評価値ｈｓ１として演算するように構成されている。
【００３４】
出力手段８は、シミュレート手段７で演算された各評価値ｈ１、ｈ２、ｈｓ１をディスプレイ上などに表示する出力処理を実行するように構成されている。
【００３５】
つまり、このシミュレートシステムＳは、処理設備情報Ｄ１、Ｄ２の入力を入力手段６で受け付け、各評価値ｈ１、ｈ２、ｈｓ１をシミュレート手段７で演算し、その各評価値ｈ１、ｈ２、ｈｓ１を出力手段８で出力する。
【００３６】
なお、このシミュレートシステムＳは、植物利用型処理設備５の情報Ｄ１のうち、販売対象植物の販売仕様ｄ１３の入力がない場合には、前記第１評価値ｈ１として、販売対象植物２ａをプリザーブドフラワーとして販売したときの評価値と、販売対象植物２ａを生花として販売したときの評価値の両方を演算するように構成されている。
【００３７】
［第２実施形態］
本第２実施形態では、図３に示すように、二酸化炭素削減方法の適用効果をシミュレートするシミュレートシステムＳの入力手段６が、前記植物利用型処理設備５の情報Ｄ１の入力、並びに、前記施設１の情報Ｄ９の入力を受け付ける処理を実行するように構成されている。
【００３８】
前記施設情報Ｄ９は、施設１内で発生する二酸化炭素発生量（例えば１年当たり）ｄ９１などから構成されている。
【００３９】
また、シミュレート手段７が、入力手段６で入力を受け付けた植物利用型処理設備情報Ｄ１、施設情報Ｄ９に基づき、施設から発生す二酸化炭素発生量ｄ９１から植物利用型処理設備５に関する二酸化炭素処理量ｄ１１を差し引いた設備導入後の施設１からの二酸化炭素排出量に取引単価ｄｃを乗じて金銭に換算した二酸化炭素排出額ｄ３１と、植物利用型処理設備５に関する設備側費用ｄ１４と植物側費用ｄｂとを合算した仮想費用ｄ３２を演算する処理を実行するように構成されている。
【００４０】
さらに、シミュレート手段７が、第３評価値ｈ３として、仮想費用ｄ３２と前記販売額ｄ１５との差を演算するとともに、現在評価値ｈ９として、施設二酸化炭素発生量ｄ９１に取引単価ｄｃを乗じて金銭に換算した二酸化炭素排出額を演算する処理を実行するように構成されている。
【００４１】
また、シミュレート手段７は、差異評価値ｈｓ２として、第３評価値ｈ３と現在評価値ｈ９の差を演算するように構成されている。
【００４２】
そして、前記出力手段８は、シミュレート手段７による演算結果として、各評価値ｈ３、ｈ９、ｈｓ２をディスプレイ上等に表示する出力処理を実行するように構成されている。
【００４３】
つまり、このシミュレートシステムＳは、植物利用型処理設備情報Ｄ１、施設情報Ｄ９の入力を入力手段６で受け付け、各評価値ｈ３、ｈ９、ｈｓ２をシミュレート手段７で演算し、その各評価値ｈ３、ｈ９、ｈｓ２を出力手段８で出力する。
【００４４】
なお、その他の構成は、第１実施形態で説明した構成と同一であるので、同一の構成箇所には同一の番号を付記してその説明は省略する。
【００４５】
［その他の実施形態］
（１）前述の各実施形態では、栽培ハウス２を施設１の敷地内に設ける場合を例に示したが、例えば、施設１の屋上やバルコニーや中庭等に設けてもよく、或いは、施設１の敷地外に設けてもよい。
【００４６】
（２）前述の各実施形態では、二酸化炭素供給路４を介して栽培ハウス２に二酸化炭素を供給する場合を例に示したが、専用の容器やそれを運搬する自動車等の運搬手段を介して栽培ハウス２に二酸化炭素を供給してもよい。
【００４７】
（３）前述の各実施形態では、二酸化炭素ガスｇを栽培ハウス２に供給する場合を例に示したが、二酸化炭素を栽培ハウス２用の培養水等に混入して栽培ハウス２に供給してもよい。
【００４８】
（４）前述の各実施形態では、施設１として工場を例に示したが、映画館やホールやオフィスビル等であってもよい。
【００４９】
（５）前述の各実施形態では、販売対象植物２ａとして薔薇を例に示したが、その他の花や観葉植物や野菜や果物等であってもよい。
【００５０】
（６）処理設備情報Ｄ１、Ｄ２、施設情報Ｄ９はシミュレート手段７の記憶部に記憶させる情報との関係で種々の変更が可能である。要するに、処理設備情報Ｄ１、Ｄ２、施設情報Ｄ９とシミュレート手段７の記憶情報とから各評価値ｈ１、ｈ２、ｈｓ１、ｈ３、ｈ４、ｈｓ２を演算し得るように処理設備情報Ｄ１、Ｄ２、施設情報Ｄ９とシミュレート手段７の記憶情報を変更すればよい。その場合、例えば、処理設備情報Ｄ１、Ｄ２、施設情報Ｄ９を設備の仕様の情報から構成し、その設備仕様に対応する各種の詳細情報をシミュレート手段の記憶部に記憶させてもよい。
【００５１】
（７）前述の実施形態では、出力手段８がディスプレイ上に出力するように構成されている場合を例に示したが、用紙や端末機等に出力するように構成されていてもよい。
【符号の説明】
【００５２】
１        施設
２        栽培ハウス
２ａ      販売対象植物
５        植物利用型処理設備
６        入力手段
７        シミュレート手段
８        出力手段
Ｄ１      植物利用型処理設備に関する情報
Ｄ２      植物非利用型処理設備に関する情報
Ｄ９      施設の情報
ｈ１、ｈ２、ｈ３      評価値
【図１】
2011135817.tif 000003
【図２】
2011135817.tif 000004
【図３】
2011135817.tif 000005